(57)【要約】【課題】本考案はマルチ機能を備えたスポーツトレーニングチェアの構造で、その構造には弾性のあるファブリッククッションが含まれる。【解決手段】弾性のある伸縮機能を備えることにより、使用者が圧力を加える過程において伸張してその形状を変化させ、加圧が終了した際に原状を回復するものである。加圧過程において弾性布が伸張して形状変化を起こした際に蓄積された力が、加圧終了時に反発力を起こし、使用者に多種類の運動の目的を達成させる。一つの固定支柱は、その弾性ファブリッククッション１０２を固定させるために用いられ、このマルチ機能を備えたスポーツトレーニングチェア１００の構造を構成するものである。【選択図】図１
0003147522.tif 000002
【実用新案登録請求の範囲】
【請求項１】
マルチ機能を備えたスポーツトレーニングチェアの構造であって、前記構造は、
弾性伸縮機能を備え、ユーザーが圧力をかけるプロセスによって伸長して変形し、前記圧力をかけるプロセスが終了すると原状に回復し、前記圧力をかけるプロセスが弾性生地の伸張変形する際に蓄積されたパワーを生み出すことによって、前記圧力をかけるプロセスが終了した際に跳ね返るパワーを生じ、前記ユーザーが多項目の運動をする目的を達するための前記弾性生地のクッションと、
前記弾性生地のクッションを固定して前記マルチ機能を備えたスポーツトレーニングチェアの構造に使用するための固定支柱とからなることを特徴とするマルチ機能を備えたスポーツトレーニングチェアの構造。
【請求項２】
前記固定支柱の長さを調整することで、前記マルチ機能を備えたスポーツトレーニングチェア構造の高さ調整ができることを特徴とする請求項１に記載するマルチ機能を備えたスポーツトレーニングチェアの構造。
【請求項３】
前記ユーザーが運動過程で寄り掛かることができる背もたれ構造をさらに含むことを特徴とする請求項１に記載するマルチ機能を備えたスポーツトレーニングチェアの構造。
【考案の詳細な説明】
【技術分野】
【０００１】
本考案はマルチ機能を備えたスポーツトレーニングチェアの構造に関係し、更に特定すれば、一種のマルチ機能を備えたスポーツトレーニングチェアの構造について、使用者が多種類のフィットネス運動を行うことができるものである。
【背景技術】
【０００２】
数年来、現代人は食事習慣の変化により、体内に体脂肪が蓄積しやすくなり、健康に影響を与えるようになった。また、現代人は勤務時間や日常生活中の理由により、運動する時間と場所に欠けており、フィットネス運動を確実に行うことが現代人の見逃すことのできないものとなっている。
【０００３】
アウトドア運動には特定の場所と時間が必要であり、便利にフィットネス運動を行うという目的を達するために、巷では非常に数多くのフィットネス補助器材が生れており、中でも家庭やオフィスで使用できるフィットネス補助器材は最も歓迎されている。
【考案の開示】
【考案が解決しようとする課題】
【０００４】
しかし、この種のフィットネス器材は往々にして特定の一種類或いは数種類のフィットネスの目的に限定されており、その他のフィットネス運動の目的を達成するためには他種のフィットネス器材を補助として使用することが必要である。このため、使用者にある種のフィットネス項目の不足や家庭内に各種のフィットネス器材を多数放置しなければならないことになり、大変不便である。
【０００５】
そこで、本考案はマルチ機能を備えたスポーツトレーニングチェアの構造を提供し、その構造と組み合わせて使用者が５０種類以上のフィットネス運動を容易に行えるようにし、交換可能な弾性ファブリッククッションと解体可能なスチールパイプ構造のチェアフレームを備える事によって耐久性と収納時の利便性を兼ね備えて現代人のフィットネス運動を便利にし、満足させるものである。
【課題を解決するための手段】
【０００６】
本考案の一例は、マルチ機能を備えたスポーツトレーニングチェアの構造が提供できる事にある。その構造はフレキシブルな弾性機能を備えた弾性ファブリッククッションが含まれる。使用者が加圧する過程で伸張して形状変化し、加圧終了時に原状を回復する。その加圧過程において弾性布が伸張して形状変化する際に蓄積された力が加圧終了時に反発力を生み、使用者が多種類の運動を行うことができる。固定支柱はその弾性ファブリッククッションを固定し、この多機能フィットネスチェアの構造を構成する。
【考案の効果】
【０００７】
本考案のその他特徴と長所については後に述べる通りであり、また一部はその述べるところから、本考案の実施方法についても明らか且つ容易に習得が可能である。この他、本考案の特徴と長所は添付した実用新案登録請求の範囲において特に指摘される部品と組み合わせによって獲得、実現される。
【０００８】
理解されるべきは、前述の範例の記述とその後の実施方法の記述は例示的及び、説明上の必要としてのみであり、本考案が主張する実用新案登録請求の範囲に制限を加えるものではない。
【考案を実施するための最良の形態】
【０００９】
本考案の範例を詳細に参考し、それら範例を付随する図式中において説明する。可能な限り、全ての図式における同様な参考番号は同様であるか、類似する部分を示す。
【００１０】
図１は本考案の範例の一つである多機能フィットネス運動チェア構造１００の立体外観図である。多機能フィットネス運動チェア構造１００には、弾性ファブリッククッション１０２及び固定支柱一が含まれる。弾性ファブリッククッション１０２はスプリングコイル１１２ａ、１１２ｂ、１１２ｃ、１１２ｄを通して、固定支柱に固定或いは連結し、その弾性を増加させる。
【００１１】
第一コンポーネント１０６ａ、１０６ｂ、第二コンポーネント１０８ａ、１０８ｂ、１０８ｃ、１０８ｄ及び、第三コンポーネント１１０ａ、１１０ｂを含む固定支柱は解体が可能である。第一コンポーネント１０６ａ、１０６ｂはそれぞれ多機能フィットネス運動チェア構造１００の両側に配置し、連結して弾性ファブリッククッション１０２を引っ張り支える。弾性ファブリッククッション１０２は使用者が加圧する過程において伸張し形状変化してその力を蓄積し、加圧終了時には原状を回復する特性を与えることで使用者が多種類のフィットネス運動を便利に行うことができる。第二コンポーネント１０８ａ、１０８ｂ、１０８ｃ、１０８ｄはそれぞれ第一コンポーネント１０６ａ、１０６ｂ及び第三コンポーネント１１０ａ、１１０ｂに連結し、多機能フィットネス運動チェア構造１００の固定支柱構造を構成する。それらの第一、第二及び第三コンポーネントはネジ構造によって組合わさっている。
【００１２】
この他、固定支柱はゴム被膜で覆われている。この被膜は保護のため、もしくは使用者が多機能フィットネス運動チェア使用時に固定支柱によって傷害を受けないために用いられる。
【００１３】
図２は本考案の一範例である多機能フィットネス運動チェア構造１００の立体分解図である。収納を便利にするため、多機能フィットネス運動チェア構造１００は図２に示されている通りに分解する事ができる。これにより収納時に必要な空間を大幅に減少することが可能となり、携帯にも便利である。
【００１４】
図３は本考案の別の範例である多機能フィットネス運動チェア構造１００−１の立体分解図である。多機能フィットネス運動チェア構造１００−１もまた弾性ファブリッククッション１０２及び固定支柱一が含まれている。弾性ファブリッククッション１０２はスプリングコイル１１２ａ、１１２ｂ、１１２ｃ、１１２ｄを通じて固定支柱に固定或いは連結されることによってその弾性を増加することが可能である。その固定支柱には第一コンポーネント１０６ａ、１０６ｂ、第二コンポーネント３０８ａ、３０８ｂ、３０８ｃ、３０８ｄ及び第三コンポーネント１１０ａ、１１０ｂが含まれる。そのうち第一コンポーネント１０６ａ、１０６ｂ及び第三コンポーネント１１０ａ、１１０ｂは図１に示されている範例の多機能フィットネス運動チェア構造１００において対応する部分と同様または類似しており、ここで再度述べることはしない。第二コンポーネント３０８ａ、３０８ｂ、３０８ｃ、３０８ｄはそれぞれ第一コンポーネント１０６ａ、１０６ｂ及び第三コンポーネント１１０ａ、１１０ｂと連結し、多機能フィットネス運動チェア構造１００の固定支柱構造を構成する。また、第二コンポーネント３０８ａ、３０８ｂ、３０８ｃ、３０８ｄは使用者個人の体型などのニーズに合わせて、第二コンポーネントの長短を調整する方法により多機能フィットネス運動チェア構造１００−１の高さを変更し、利便性と様々な使用者の要求に応える目的を満たす事が可能である。図１に示されている範例の多機能フィットネス運動チェア構造１００と類似しているのは、それらの第一、第二及び第三コンポーネントもまたネジ構造によって組み合わさっていることである。
【００１５】
図４は本考案の別の範例である側面断面図である。図１に示される構造の外、背もたれ構造１１４を加える事により使用者がフィットネス運動中にその背もたれ構造に寄りかかって休息する事が可能であり、またその他背もたれに適する動作により、快適にリラックスしたフィットネス運動を行うことができ、さらにその構造によって姿勢と体位を変更する事が可能である。
【００１６】
図５は本考案のその他の範例の多機能フィットネス運動１００の立体外観図である。この範例において、多機能フィットネス運動１００はカウンター１２０が含まれ、フィットネス運動の過程における弾性ファブリッククッション１０２の伸張回数が計算できる。この範例において、その伸張回数がカウンター１２０によってカロリーに換算され、使用者にフィットネス運動の成果を告知する事が可能である。また、多機能フィットネス運動１００はタイマーが含まれ、フィットネス運動の過程における時間の長短が計算できる。
【００１７】
当業者は、本考案の広範な発明概念の状況下において上述の範例に対し変更を行うことが可能である事が理解できる。よって、本考案は示された特定範例に限らず、付随する実用新案登録請求の範囲に定められた本考案の精神及び範疇内において行われる修正を積極的に含むことが理解できる。
【００１８】
また、本考案の代表的な範例を記述する過程において、本願では本考案の方法及び/或いは過程の表示を特定のステップに従って配列した。従って、それらの方法或いは過程がここで提出された特定のステップに従わない状況下において、方法或いは過程は本文で記述された特定のステップに限らない。同業者は、その他の順序が可能である事が理解できる。そこで、本願において述べる特定の順序は実用新案登録請求の範囲の制限であると理解されてはならない。この他、本考案の方法及び/或いは過程の実用新案登録請求の範囲
は記載されている順序によって執行されるものとは限らず、また同業者は本考案の精神及び範疇内において順序に変化を加える事が可能である事が容易に理解できる。
【００１９】
添付の例示性図式と合わせて閲覧すれば前文で述べるところの本考案の発明内容及び以下の実施方法がよりよく理解できる。本考案の目的を説明するために、図式中において現在比較的良好な実施範例を示してある。しかしながら、本考案はその示すところの精確な配置及び手段に限らないことが理解できる。
【図面の簡単な説明】
【００２０】
【図１】本考案の範例の一つである立体外観図である。
【図２】本考案の範例の一の立体分解図である。
【図３】本考案の範例の一の立体外観図である。
【図４】本考案のもう一つの範例における側面断面図である。
【図５】本考案のカウンターとタイマーを結合する範例の一の立体外観図である。
【符号の説明】
【００２１】
１００    多機能フィットネス運動チェア構造
１０２    弾性ファブリッククッション
１０４    穴
１０６ａ  第一コンポーネント
１０６ｂ  第一コンポーネント
１０８ａ  第二コンポーネント
１０８ｂ  第二コンポーネント
１０８ｃ  第二コンポーネント
１０８ｄ  第二コンポーネント
３０８ａ  第二コンポーネント
３０８ｂ  第二コンポーネント
３０８ｃ  第二コンポーネント
３０８ｄ  第二コンポーネント
１１０ａ  第三コンポーネント
１１０ｂ  第三コンポーネント
１１２ａ  スプリングコイル
１１２ｂ  スプリングコイル
１１２ｃ  スプリングコイル
１１２ｄ  スプリングコイル
１１４    背もたれ構造
１１６    弾性布
１１８    タイマー
１２０    カウンター
【図１】
0003147522.tif 000003
【図２】
0003147522.tif 000004
【図３】
0003147522.tif 000005
【図４】
0003147522.tif 000006
【図５】
0003147522.tif 000007